(57)【要約】【課題】前回再生時に用いられた再生用パラメータを、ユーザーが必要とする場合にのみ用いて再生を行い、かつ再生用パラメータを大量に記録することが可能であるハードディスク搭載光ディスク再生装置を提供する。  【解決手段】制御部は再生処理の中断指示を受けた際に、レジュームポイント及び再生用パラメータを、ハードディスクに記憶するとともに、光ディスクを一意に特定するための識別情報を取得する。取得した識別情報は、レジュームポイント及び再生用パラメータと関連付けられて、ハードディスクに記憶される。そして再生中断が行われた光ディスクに対して再び再生指示が発行された場合に、制御部は識別情報を用いて光ディスクを特定すると共に、光ディスクに関連付けられたレジュームポイント及び再生用パラメータをハードディスクにから読み出し、それらを用いて再生処理の再開を行う。【選択図】図１
2007180938.tif 000002
【特許請求の範囲】
【請求項１】
光ディスクに記録された映像情報の再生処理を行う光ディスク再生手段と、
前記光ディスク再生手段における再生用パラメータを設定する再生用パラメータ設定手段と、
前記光ディスク再生手段における再生処理の中断指示を受けた際に、前記映像情報の再生中断位置を、次回に再生指示を受信した場合における再生再開位置であるレジュームポイントとしてハードディスクに記憶するレジュームポイント記憶手段と、
前記光ディスクを一意に特定するための識別情報を前記光ディスクより取得する識別情報取得手段と、
再生処理の中断を行った前記光ディスクの再生指示が再び検知された際に、前記識別情報取得手段を用いて前記光ディスクを特定し、特定した前記光ディスクに対応するレジュームポイントを前記ハードディスクより読み出し、読み出した前記レジュームポイントを用いて前記光ディスクの再生処理の再開を行う再生再開手段と、
を備えたハードディスク搭載光ディスク再生装置において、
前記再生用パラメータ設定手段を用いて設定された前記再生用パラメータを前記ハードディスクに記憶することと、
前記再生用パラメータを前記ハードディスクに記憶する際に、前記再生用パラメータを用いて再生処理を行っていた光ディスクの識別情報を前記識別情報取得手段を用いて取得するとともに、前記再生用パラメータと関連付けて前記ハードディスクに記憶することと、
前記再生再開手段を用いて前記光ディスクの再生処理の再開を行う際に、前記光ディスクの識別情報に関連付けれられている前記再生用パラメータを前記ハードディスクから読み出し、読み出した前記再生用パラメータを用いて再生処理を行うことと、
前記再生手段を用いた映像情報の再生処理が完了した場合に、前記再生処理を行っていた前記光ディスクの識別情報に関連付けられた前記再生用パラメータを前記ハードディスクより消去することと、
前記再生用パラメータ設定手段において、設定された前記再生用パラメータが前記再生用パラメータの初期値と一致する場合に、前記光ディスクの識別情報に関連付けられた再生用パラメータを前記ハードディスクより消去することと、
前記再生再開手段を用いて前記光ディスクの再生処理の再開を行う場合において、前記光ディスクの識別情報に関連付けれられている前記再生用パラメータが前記ハードディスクに記憶されていない場合に、前記初期値を用いて前記光ディスクの再生処理を行うことと、
を特徴とするハードディスク搭載光ディスク再生装置。
【請求項２】
外部媒体に記録された映像情報の再生処理を行う外部媒体再生手段と、
前記外部媒体再生手段における再生用パラメータを設定する再生用パラメータ設定手段と、
前記外部媒体再生手段における再生処理の中断指示を受けた際に、前記映像情報の再生中断位置を、次回に再生指示を受信した場合における再生再開位置であるレジュームポイントとして磁気記録媒体に記憶するレジュームポイント記憶手段と、
前記外部媒体を一意に特定するための識別情報を前記外部媒体より取得する識別情報取得手段と、
再生処理の中断を行った前記外部媒体の再生指示が再び検知された際に、前記識別情報取得手段を用いて前記外部媒体を特定し、特定した前記外部媒体に対応するレジュームポイントを前記磁気記録媒体より読み出し、読み出した前記レジュームポイントを用いて前記外部媒体の再生処理の再開を行う再生再開手段と、
を備えた磁気記録媒体搭載外部媒体再生装置において、
前記再生用パラメータ設定手段を用いて設定された前記再生用パラメータを前記磁気記録媒体に記憶することと、
前記再生用パラメータを前記磁気記録媒体に記憶する際に、前記再生用パラメータを用いて再生処理を行っていた外部媒体の識別情報を前記識別情報取得手段を用いて取得するとともに、前記再生用パラメータと関連付けて前記磁気記録媒体に記憶することと、
前記再生再開手段を用いて前記外部媒体の再生処理の再開を行う際に、前記外部媒体の識別情報に関連付けれられている前記再生用パラメータを前記磁気記録媒体から読み出し、読み出した前記再生用パラメータを用いて再生処理を行うことと、
を特徴とする磁気記録媒体搭載外部媒体再生装置。
【請求項３】
前記再生手段を用いた映像情報の再生処理が完了した場合に、前記再生処理を行っていた前記外部媒体の識別情報に関連付けられた前記再生用パラメータを前記磁気記録媒体より消去すること
を特徴とする請求項２に記載の磁気記録媒体搭載外部媒体再生装置。
【請求項４】
前記再生用パラメータ設定手段において、設定された前記再生用パラメータが前記再生用パラメータの初期値と一致する場合に、前記外部媒体の識別情報に関連付けられた再生用パラメータを前記磁気記録媒体より消去すること
を特徴とする請求項２または請求項３に記載の磁気記録媒体搭載外部媒体再生装置。
【請求項５】
前記再生再開手段を用いて前記外部媒体の再生処理の再開を行う場合において、前記外部媒体の識別情報に関連付けれられている前記再生用パラメータが前記磁気記録媒体に記憶されていない場合に、前記初期値を用いて前記外部媒体の再生処理を行うこと
を特徴とする請求項２乃至請求項４のいずれかに記載の磁気記録媒体搭載外部媒体再生装置。
【発明の詳細な説明】
【技術分野】
【０００１】
本発明は、ハードディスクを搭載した光ディスク再生装置に関するものであり、特に光ディスク再生時における再生用パラメータの設定及び記録処理に関する。
【背景技術】
【０００２】
近年、テレビ等の映像装置において処理される映像および音声の再生を行うための装置として、ＤＶＤ（Digital Versatile Disk）プレイヤー等のデジタル方式による光ディスク再生装置が広く普及してきている。これらのデジタル方式の光ディスク再生装置の機能の一つに、レジューム機能がある。
【０００３】
レジューム機能とは、例えば光ディスク記録再生装置等において、再生停止後の次回再生時に、前回の再生停止箇所から自動的に再生を開始する機能である。具体的には、光ディスク記録再生装置がユーザーより再生停止指示を受信した際に、光ディスク上の再生停止位置を検出し、検出した再生停止位置を指し示すポインタを次回再生開始点（レジュームポイント）として記録する。この機能を用いれば、再生停止後にふたたび再生開始の指示を受けた場合に、記憶されているレジュームポイントを参照することにより、前回再生を停止した位置からの継続的な再生を行うことが可能である。
【０００４】
また、デジタル方式の光ディスク再生装置の機能の一つに、再生用パラメータ設定機能がある。再生用パラメータ設定機能とは、例えば海外の映画（洋画）を再生する場合に、その音声（日本語、あるいは英語等）を選択したり、また字幕（日本語訳）の表示、非表示の選択を行うために用いられる再生用パラメータを設定する機能である。通常、再生用パラメータはリモコン等の操作装置を用いてユーザーが指示を行うことにより、設定される。
【０００５】
例えばＤＶＤプレイヤーにおいては、一枚の記憶媒体（ＤＶＤメディア）に音声を最大８言語、また字幕を最大３２言語まで収録することが可能である。ＤＶＤメディアに記録されているコンテンツを再生する場合、これらの中から音声及び字幕を自由に組み合わせて再生することが可能である。これにより、視聴者は再生すべき音声及び字幕を自分の好みに応じて設定（再生用パラメータ設定）し、視聴を行うことが可能である。
【０００６】
しかしながら従来のＤＶＤプレーヤにおいては、再生用パラメータを設定した後にＤＶＤメディアの交換を行った場合、再生用パラメータが初期パラメータ（工場出荷時に設定された再生用パラメータ）にリセットされるか、或いは交換前のＤＶＤメディアの再生用パラメータに基づき再生が行われてしまうという問題があった。例えば、洋画が記録されえたＤＶＤメディアを英語音声、及び日本語字幕で再生するように再生用パラメータを設定した後に、邦画が記録されたＤＶＤメディアに交換したとする。この場合、再生用パラメータの設定変更をしない限り、新しいＤＶＤメディア（邦画を記録したＤＶＤメディア）は英語音声および日本語字幕で再生されてしまう。このため、ユーザーはＤＶＤメディアを交換する度に再生用パラメータの変更を行わなければならず、作業負担の増加につながるという問題があった。
【０００７】
上記の問題に関連して特許文献１では、ＤＶＤメディア毎に吹き替え音声及び字幕のパラメータを設定するための操作負担を軽減することを目的とした記録媒体再生装置が開示されている。特許文献１の記録媒体再生装置は、所定のパラメータに基づき制御される選択制御手段を有し、同一の再生時刻に対応付けてある複数のデータを記録媒体から読み出し、読み出したデータを前記選択制御手段により選択して再生する。そして複数のコンテンツと対応付けて前記選択制御手段のパラメータを記憶するとともに、記録媒体のコンテンツを識別し、識別したコンテンツと対応付けて記憶してあるパラメータを読み出し、読み出したパラメータを用いてコンテンツの再生を行うことを特徴としている。
【０００８】
上記の特許文献１の発明によれば、記録媒体に記録してあるコンテンツを識別し、識別したコンテンツと対応付けて予め記憶してある再生用パラメータを用いて各種制御処理を行うため、吹き替え音声及び字幕のパラメータを設定するための操作負担を軽減することが可能である。
【０００９】
また上記の問題に関連して特許文献２では、ＤＶＤメディア等の記録媒体を再生する際の再生用パラメータを適切に設定できる再生方法が開示されている。特許文献２の再生方法は、所定の記録媒体（ＤＶＤメディア等）に記録されたコンテンツを再生する場合において、装着された記録媒体の再生対象のコンテンツについて、選択可能な再生用パラメータを読み出し、過去に同じコンテンツを再生させた際の再生用パラメータが記憶されている場合に、前記再生用パラメータを用いて再生を行うことを特徴としている。なお、再生用パラメータが記憶されていない場合は、選択可能な再生用パラメータの一覧を表示させる。
【００１０】
上記の特許文献２の発明によれば、過去に同じコンテンツを再生させたことがある場合において、前記再生時の再生用パラメータを自動的に設定してコンテンツの再生が行われる。これにより、一度再生用パラメータを行ったコンテンツを再度再生させる場合に、前回の再生用パラメータが記憶されているので、前記コンテンツに対する最適な再生用パラメータ設定が自動的に行えるようになる。また、過去に再生させたことがないコンテンツの場合には、選択可能な再生用パラメータの一覧が表示され、その中から再生用パラメータを選択する。これにより、以前に再生用パラメータの設定を行ったことがない記録媒体を再生させる場合においても、再生用パラメータの設定を前記選択画面により容易に行うことが可能である。
【特許文献１】特開２００１−６３３０号公報
【特許文献２】特開２００５−１２９１７１号公報
【発明の開示】
【発明が解決しようとする課題】
【００１１】
しかしながら、特許文献１および特許文献２に開示されている記録媒体再生装置及び再生方法においては、再生用パラメータ設定を記憶する媒体としてメモリ（ＲＡＭ）が使用されているため、記憶できる再生用パラメータ設定の数が少ないという問題があった。従って再生するＤＶＤメディアが多い場合、古い再生用パラメータ設定から順に消去していく必要があった。
【００１２】
また、一枚のＤＶＤメディアを複数のユーザーで視聴している場合において、あるユーザーがＤＶＤメディアのコンテンツの視聴を一時中断している（例えば一時的にＤＶＤメディアを再生装置から抜き出している場合等）に、他ユーザーが前記ＤＶＤメディアのコンテンツを視聴しようとすると、他ユーザーが設定した再生用パラメータにより再生が行われて行われてしまうため、ユーザーは再度、再生用パラメータを設定し直さなければならないという問題があった。
【００１３】
本発明は、上記の問題を解決するためになされたものであって、その目的は、再生時の再生用パラメータを再生用パラメータ履歴として光ディスク単位で記憶することが可能なハードディスク搭載光ディスク再生装置において、ユーザーが必要とする場合にのみ、記憶された再生用パラメータ履歴を用いた再生を行うことと、再生用パラメータ履歴を大量に記録することが可能であることとを特徴とするハードディスク搭載光ディスク再生装置（磁気記録媒体搭載外部媒体再生装置）を提供することにある。
【課題を解決するための手段】
【００１４】
上記目的を達成するために本発明のハードディスク搭載光ディスク再生装置は、
外部媒体に記録された映像情報の再生処理を行う外部媒体再生手段と、
前記外部媒体再生手段における再生用パラメータを設定する再生用パラメータ設定手段と、
前記外部媒体再生手段における再生処理の中断指示を受けた際に、前記映像情報の再生中断位置を、次回に再生指示を受信した場合における再生再開位置であるレジュームポイントとして磁気記録媒体に記憶するレジュームポイント記憶手段と、
前記外部媒体を一意に特定するための識別情報を前記外部媒体より取得する識別情報取得手段と、
再生処理の中断を行った前記外部媒体の再生指示が再び検知された際に、前記識別情報取得手段を用いて前記外部媒体を特定し、特定した前記外部媒体に対応するレジュームポイントを前記磁気記録媒体より読み出し、読み出した前記レジュームポイントを用いて前記外部媒体の再生処理の再開を行う再生再開手段と、
を備えた磁気記録媒体搭載外部媒体再生装置において、
前記再生用パラメータ設定手段を用いて設定された前記再生用パラメータを前記磁気記録媒体に記憶することと、
前記再生用パラメータを前記磁気記録媒体に記憶する際に、前記再生用パラメータを用いて再生処理を行っていた外部媒体の識別情報を前記識別情報取得手段を用いて取得するとともに、前記再生用パラメータと関連付けて前記磁気記録媒体に記憶することと、
前記再生再開手段を用いて前記外部媒体の再生処理の再開を行う際に、前記外部媒体の識別情報に関連付けれられている前記再生用パラメータを前記磁気記録媒体から読み出し、読み出した前記再生用パラメータを用いて再生処理を行うことと、
を特徴としている。
【００１５】
この構成によると、
本発明のハードディスク搭載光ディスク再生装置は、光ディスク（外部媒体）に記録された映像情報の再生処理を行う際に使用する再生用パラメータ（字幕、音声等の設定を行うためのパラメータ）をあらかじめ設定することが可能である。制御部は再生処理の中断指示を受けた際に、レジュームポイント（再生中断位置）及び再生用パラメータを、ハードディスク（磁気記録媒体）に記憶するとともに、光ディスクを一意に特定するための識別情報を取得する。取得した識別情報は、レジュームポイント及び再生用パラメータと関連付けられて、ハードディスクに記憶される。そして再生中断が行われた光ディスクに対して再び再生指示が発行された場合に、制御部は識別情報を用いて光ディスクを特定すると共に、光ディスクに関連付けられたレジュームポイント及び再生用パラメータをハードディスクにから読み出し、それらを用いて再生処理の再開を行う。
【００１６】
また、上記目的を達成するために本発明のハードディスク搭載光ディスク再生装置は、
前記再生手段を用いた映像情報の再生処理が完了した場合に、前記再生処理を行っていた前記外部媒体の識別情報に関連付けられた前記再生用パラメータを前記磁気記録媒体より消去すること
を特徴としている。
【００１７】
この構成によると、
光ディスクの再生が完了した際（例えばコンテンツの最後まで再生が行われ、再生が自動停止した場合等）に、再生完了した光ディスクに対して設定されていた再生用パラメータがハードディスクより消去される。
【００１８】
また、上記目的を達成するために本発明のハードディスク搭載光ディスク再生装置は、
前記再生用パラメータ設定手段において、設定された前記再生用パラメータが前記再生用パラメータの初期値と一致する場合に、前記外部媒体の識別情報に関連付けられた再生用パラメータを前記磁気記録媒体より消去すること
を特徴としている。
【００１９】
この構成によると、
光ディスクの再生のために設定された再生用パラメータの値が初期値（例えば工場出荷時の設定値等）と一致する場合、前記光ディクスの再生用パラメータをハードディクスに記録しない。また、変更後の値が初期値と一致する場合は、変更前の再生用パラメータがハードディスクに記憶されたまま残っているため、その再生用パラメータを消去する。
【００２０】
また、上記目的を達成するために本発明のハードディスク搭載光ディスク再生装置は、
前記再生再開手段を用いて前記外部媒体の再生処理の再開を行う場合において、前記外部媒体の識別情報に関連付けれられている前記再生用パラメータが前記磁気記録媒体に記憶されていない場合に、前記初期値を用いて前記外部媒体の再生処理を行うこと
を特徴としている。
【００２１】
この構成によると、
光ディスクの再生再開処理が行われ、かつハードディスクに前記光ディスク用の再生用パラメータが記録されていない場合に、再生用パラメータの初期値を用いて再生処理が行われる。
【発明の効果】
【００２２】
本発明の第一の構成によれば、再生中断が行われた光ディスクに対して再び再生指示が発行された場合に、制御部は識別情報を用いて光ディスクを特定すると共に、光ディスクに関連付けられたレジュームポイント及び再生用パラメータをハードディスクにから読み出し、それらを用いて再生処理の再開を行う。このため、ユーザーは再生再開時に、前回再生じと同じ設定（字幕、音声等）で視聴を行うことができるため、再度設定を行う必要がなく、ユーザーの利便性が向上する。また、記憶媒体としてハードディスクを用いているため、例えばメモリ（ＲＯＭ）等を使用した場合と比較して、より多くの再生用パラメータを記憶することが可能である。また、前回の再生パラメータが使用されるのは、レジューム機能による再生再開の場合のみであり、例えば通常の再生（光ディスクの先頭からの再生）を行った場合は前回の再生用パラメータは用いられず、例えば初期値等により再生が行われる。このため、例えば複数のユーザーが一枚の光ディスクを並行して視聴する場合などに、他ユーザーが設定した再生用パラメータで再生が行われてしまうといった不具合を回避することができる。
【００２３】
本発明の第二の構成によれば、光ディスクの再生が完了した際に、再生していた光ディスクに対して設定されていた再生用パラメータがハードディスクより消去される。これにより、既に不要となった再生用パラメータが消去されるため、ハードディスクの容量をより有効に活用することが可能となる。
【００２４】
本発明の第三の構成によれば、光ディスクの再生のために設定された再生用パラメータの値が初期値と一致する場合、前記光ディクスの再生用パラメータをハードディクスに記録しない。また、設定変更前の再生用パラメータがハードディスクに記憶されたまま残っている場合は、その再生用パラメータは消去される。これにより、初期値と一致する設定パラメータをハードディスクに記憶するといった容量消費の無駄を省くことができる。
【００２５】
本発明の第四の構成によれば、
光ディスクの再生再開処理が行われ、かつハードディスクに前記光ディスク用の再生用パラメータが記録されていない場合に、再生用パラメータの初期値を用いて再生処理が行われる。このため、再生再開時に再生用パラメータの読み込みに失敗したとしてもエラーとならず、またユーザーは再生用パラメータを初期化する操作を行う必要がない。
【発明を実施するための最良の形態】
【００２６】
本発明の実施の一形態について、図面に基づいて説明すれば、以下の通りである。
【００２７】
［実施の形態］
〈１．ＨＤＤ搭載ＤＶＤプレイヤーの内部構成について〉
ここで、本発明の第一の実施形態におけるＨＤＤ搭載ＤＶＤプレイヤー１の電気回路システムの要部構成を、図３のブロック図を用いながら説明する。
【００２８】
図３のブロック図に示すように、本発明のＨＤＤ搭載ＤＶＤプレイヤー１は、少なくとも、制御部１１、メモリ１２、ＨＤＤ１３、データ入力部１４、エンコーダ部１５、デコーダ部１６、データ出力部１７、制御プログラム記憶部１８、操作ボタン群２１、フロントパネル２２、及びＤＶＤスロット２３を含むように構成されている。
【００２９】
制御部１１は、ＨＤＤ搭載ＤＶＤプレイヤー１の各部材の駆動を有機的に制御することにより映像情報処理（コンテンツの録画、或いは再生等）を統括制御するための中央処理装置である。また制御部１１は、各装置（例えばＨＤＤ１３等）の制御やデータの計算、加工処理等を行なう中枢部分となっている。
【００３０】
メモリ１２は、ＨＤＤ搭載ＤＶＤプレイヤー１が保持する各種データを一時的に記憶する媒体であり、例えば書込可能なＲＡＭ（Random Access Memory）等により構成されている。メモリ１２は、例えば制御部１１によって各種情報処理が行われる際の処理データや、ユーザーから受けた指示命令等を一時的に記憶しておくためのバッファメモリとしての役割を持つ。
【００３１】
ＨＤＤ１３は、ＨＤＤ搭載ＤＶＤプレイヤー１が保持する各種データ（映像データ、音声データ、または管理データ等）を記録するための磁気記憶媒体である。なお、ＨＤＤ１３は、複数の領域（パーティション）に物理的に分割されており、記憶するデータの種別（映像データ、管理データ等）に応じて領域別に記憶することがより望ましい。ＨＤＤ１３は、例えば映像情報記憶領域１３ａ、レジューム情報記憶領域１３ｂ、および再生用パラメータ記憶領域１３ｃを含むように構成されている。映像情報記憶領域１３ａは録画を行った実際の映像データ（オリジナルデータ）を記憶しておく領域である。レジューム情報記憶領域１３ｂは、再生中断を行った際の次回再生開始位置（レジュームポイント）や、再生中断を行ったＤＶＤメディア９１の識別情報を記憶しておく領域である。再生用パラメータ記憶領域１３ｃは、ユーザーがＤＶＤメディア９１の再生時に使用した再生用パラメータを、ＤＶＤメディア９１毎に記憶しておくための領域である。
【００３２】
データ入力部１４は、例えばデジタルチューナーなどの外部装置からデジタルデータ（映像情報）を入力するための入力インタフェースである。また、例えばアナログデータを入力する場合は、Ａ／Ｄ（Analog Digital）コンバータ（不図示）を用いてアナログの映像データおよび音声データをデジタルデータに変換して入力することが可能である。
【００３３】
エンコーダ部１５は、映像データをＭＰＥＧ２等の動画圧縮方式により圧縮（エンコード）を行ったり、音声データをＤｏｌｂｙ  ＡＣ−３やＬＰＣＭ等の音声圧縮方式により圧縮を行うための処理回路である。なお、圧縮を行うデータとしては、例えばデータ入力部１４より入力された映像データおよび音声データ等が対象となる。
【００３４】
デコーダ部１６は、前記エンコーダ部１５等により圧縮された映像データおよび音声データを伸長（デコード）するための処理回路である。伸張が行われたデータは、例えば後述するデータ出力部１７等を用いて外部機器に対して出力される。
【００３５】
データ出力部１７は、例えばモニターなどの外部装置に対して映像データおよび音声データを出力するための出力インタフェースである。なお、例えば出力先の機器がアナログインタフェースしか備えていない場合は、Ｄ／Ａコンバータを用いてデジタルの映像データおよび音声データをアナログデータに変換して出力することが可能である。
【００３６】
制御プログラム記憶部１８は、例えば制御部１１を用いた各種処理（例えば映像データの入出力制御等）を行うためのプログラムデータを記憶するための媒体であり、例えば情報の読み出しのみが可能なＲＯＭ（Read Only Memory）等が用いられる。
【００３７】
操作ボタン群２１は、ユーザーが番組の録画および再生等の各種指示をＨＤＤ搭載ＤＶＤプレイヤー１に対して行なうための入力インターフェースである。フロントパネル２２は、ＨＤＤ搭載ＤＶＤプレイヤー１の各種情報をユーザーに対して表示するためのユーザーインタフェースである。
【００３８】
ＤＶＤスロット２３は、ＤＶＤメディア９１を格納し、ＤＶＤメディア９１に対して光学的に各種データの読み込み、または書き込みを行うための光学装置である。なお、ＤＶＤには複数の規格が存在するため、ＤＶＤスロット２３の規格に応じたＤＶＤメディア９１を使用しなければ、各種処理（録画、再生等）を行うことができない。
【００３９】
〈２．再生用パラメータを用いた再生処理工程について〉
ここで、本発明のＨＤＤ搭載ＤＶＤプレイヤー１における再生用パラメータを用いた再生処理工程を、図１のフロー図と、図３のブロック図とを用いながら説明する。
【００４０】
図１に示すように、制御部１１がＤＶＤスロット２３に対するＤＶＤメディア９１の挿入を検知することにより、本処理が開始される（Ｓ１１０）。なお、ＤＶＤメディア９１の挿入は、例えばユーザーが操作ボタン群２１を用いてＤＶＤスロット２３の開閉操作を行なうこと等により行われる。
【００４１】
ＤＶＤメディア９１の挿入を検知した制御部１１はＤＶＤメディア９１より識別情報（ＤＶＤメディア９１の種別を一意に特定するための情報）を取得する（Ｓ１２０）。識別情報を取得した制御部１１は、ＨＤＤ１３のレジューム情報記憶領域１３ｂに、一致する識別情報があるかの確認を行う（Ｓ１３０）。
【００４２】
前記Ｓ１３０の処理において、レジューム情報記憶領域１３ｂに一致する識別情報が無いと判断された場合、通常の再生処理方法を用いてＤＶＤメディア９１に記録されているコンテンツ（映像情報）の再生を行うため、本処理を終了する。なお、通常の再生処理方法の内容については、従来技術と同様であるため、ここでは説明を省略する。
【００４３】
逆に前記Ｓ１３０の処理において、レジューム情報記憶領域１３ｂに一致する識別情報があると判断された場合、識別情報により一意に識別された前記のＤＶＤメディア９１のレジュームポイントが、レジューム情報記憶領域１３ｂに記憶されているかどうかの確認を行う（Ｓ１４０）。なお、レジュームポイントの作成は、ＤＶＤメディア９１が前回ＨＤＤ搭載ＤＶＤプレイヤー１に挿入され、かつコンテンツの再生中でに再生中断処理が行われた場合に行われる。レジュームポイントはＤＶＤメディア９１単位で作成され、個別にレジューム情報記憶領域１３ｂに記憶されている。
【００４４】
前記Ｓ１４０の処理において、レジューム情報記憶領域１３ｂに前記ＤＶＤメディア９１に対応するレジュームポイントが無いと判断された場合、通常の再生処理方法を用いてＤＶＤメディア９１に記録されているコンテンツの再生を行うため、本処理を終了する。なお、通常の再生処理方法の内容については、従来技術と同様であるため、ここでは説明を省略する。
【００４５】
逆に前記Ｓ１４０の処理において、レジューム情報記憶領域１３ｂにＤＶＤメディア９１に対応するレジュームポイントがあると判断された場合、ＤＶＤメディア９１に対応する再生用パラメータを再生用パラメータ記憶領域１３ｃから読み出し、読み出した再生用パラメータに基づき、デコーダ部１６及びデータ出力部１７を用いてＤＶＤメディア９１に記憶されているコンテンツの再生及び出力を行う（Ｓ１５０）。なお、ＤＶＤメディア９１に対応する再生用パラメータが記憶されていない場合、再生用パラメータの初期パラメータを用いてコンテンツの再生を行う。
【００４６】
前記Ｓ１５０の処理中に、制御部１１は、再生処理の中断指示を受信するかどうかの監視を、再生が終了するまで行う（Ｓ１６０、Ｓ１８０）。なお、再生処理の中断指示は、例えばユーザーが操作ボタン群２１に含まれる再生停止ボタンを押下した場合等に発行される。
【００４７】
前記Ｓ１６０の処理において、制御部１１が再生中断指示を検知した場合、制御部１１はデコーダ部１６及びデータ出力部１７に対してコンテンツの再生の停止を命じるとともに、再生中断指示を受けた際の再生位置（レジュームポイント）を、ＨＤＤ１３のレジューム情報記憶領域１３ｂに記憶し、本処理を終了する（Ｓ１７０）。なお、レジュームポイントを記憶する際には、前記レジュームポイントがどのＤＶＤメディア９１に対するものであるかを識別させるために、識別情報も併せて記憶する。
【００４８】
逆に前記Ｓ１６０の処理において、制御部１１が再生中断指示を検知せず、かつ前記Ｓ１８０の処理においてコンテンツの再生が終了したと判断された場合（例えば、コンテンツが最後まで再生されることにより自動停止された場合等）、制御部１１は、レジューム情報記憶領域１３ｂに記憶されているＤＶＤメディア９１のレジュームポイント、および再生用パラメータ記憶領域に記憶されているＤＶＤメディア９１の再生用パラメータを消去し、本処理を終了する（Ｓ１９０）。
【００４９】
〈３．再生用パラメータの記憶処理工程について〉
ここで、本発明のＨＤＤ搭載ＤＶＤプレイヤー１における再生用パラメータの記憶処理工程を、図２のフロー図と、図３のブロック図とを用いながら説明する。
【００５０】
図２に示すように、制御部１１がユーザーより再生用パラメータの変更指示を検知することにより、本処理が開始される（Ｓ２１０）。なお、再生用パラメータの変更指示は、例えばユーザーが操作ボタン群２１を用いてコンテンツ再生時の各種設定（字幕、音声等）を変更することにより発行される。
【００５１】
再生用パラメータの変更指示を検知した制御部１１は、ＤＶＤメディア９１より識別情報を取得する（Ｓ２２０）。識別情報を取得した制御部１１は、前記Ｓ２１０においてユーザーより受け付けた再生用パラメータの変更内容を確認し、変更後の再生用パラメータが初期パラメータ（例えば工場出荷時の値）と同じであるかの判断を行う（Ｓ２３０）。
【００５２】
前記Ｓ２３０の処理において、変更後の再生用パラメータが初期パラメータと同じであると判断された場合、制御部１１は、前記Ｓ２２０において得られたＤＶＤメディア９１の識別情報をもとに、ＨＤＤ１３の再生用パラメータ記憶領域１３ｃに記憶されている前記ＤＶＤメディア９１に対応する再生用パラメータを消去する（Ｓ２４０）。これにより、前記ＤＶＤメディア９１の再生用パラメータが存在しないため、次回に前記ＤＶＤメディア９１の再生が行われる場合は、初期パラメータを用いた再生が行われることとなる。
【００５３】
逆に前記Ｓ２３０の処理において、変更後の再生用パラメータが初期パラメータと異なると判断された場合、制御部１１は、前記Ｓ２２０において得られたＤＶＤメディア９１の識別情報をもとに、ＨＤＤ１３の再生用パラメータ記憶領域１３ｃに対して前記ＤＶＤメディア９１に対応する再生用パラメータを記憶する（Ｓ２５０）。これにより、次回に前記ＤＶＤメディア９１の再生が行われる場合は、再生用パラメータ記憶領域１３ｃにおいてＤＶＤメディア９１毎に記憶されてる再生用パラメータを用いた再生が行われることとなる。なお、この処理の詳細については〈２．再生用パラメータを用いた再生処理工程について〉と同内容であるため、ここでは説明を省略する。
【００５４】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００５５】
例えば前述した実施形態の機能を実現するソフトウェアのプログラムコードを記録した記憶媒体を、ＨＤＤ搭載ＤＶＤプレイヤー１に供給し、そのＨＤＤ搭載ＤＶＤプレイヤー１内のコンピュータ（例えばＣＰＵ）が記憶媒体に格納されたプログラムコードを読出し実行することによっても、達成されることは言うまでもない。
【００５６】
この場合、記憶媒体から読出されたプログラムコード自体が、前述した実施形態の機能を実現することになり、そのプログラムコードを記憶した記憶媒体は本発明を構成することになる。
【００５７】
なお、プログラムコードを供給するための記憶媒体としては、例えば、フロッピディスク、ＨＤＤ、光ディスク、光磁気ディスク、ＣＤ−ＲＯＭ、ＣＤ−Ｒ、磁気テープ、不揮発性のメモリカード、ＲＯＭなどを用いることができる。
【００５８】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５９】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００６０】
また、本発明の映像情報処理方法が、ＨＤＤ搭載ＤＶＤプレイヤー以外のＨＤＤを備えた外部メディア再生装置において用いられたとしても、同様の効果がえられることは言うまでもない。なお、ＨＤＤを備えることが可能な外部メディア再生装置としては、例えばＤＶＤレコーダ、ビデオテープレコーダ（ＶＴＲ）、ＤＶレコーダ、パソコン、デジタルビデオカメラ、テレビゲーム機などが挙げられる。
【図面の簡単な説明】
【００６１】
【図１】本発明のＨＤＤ搭載ＤＶＤプレイヤーによる再生用パラメータを用いた再生処理の処理フロー図である。
【図２】本発明のＨＤＤ搭載ＤＶＤプレイヤーによる再生用パラメータの記憶処理の処理フロー図である。
【図３】本発明のＨＤＤ搭載ＤＶＤプレイヤーの電気回路の要部構成を示したブロック図である。
【符号の説明】
【００６２】
１      ＨＤＤ搭載ＤＶＤプレイヤー（ハードディスク搭載光ディスク再生装置）
１１    制御部
１２    メモリ
１３    ＨＤＤ（ハードディスク、記憶部）
１４    データ入力部
１５    エンコーダ部
１６    デコーダ部
１７    データ出力部
１８    制御プログラム記憶部
２３    ＤＶＤスロット
９１    ＤＶＤメディア（光ディスク）
【図１】
2007180938.tif 000003
【図２】
2007180938.tif 000004
【図３】
2007180938.tif 000005